【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
直接酸化燃料電池であって、
（Ａ）燃料極面及び空気極面を有する触媒作用のある膜電解質と、
（Ｂ）前記触媒作用のある膜電解質の前記燃料極面と燃料電池ハウジングの外壁部分との間に画定される燃料極チャンバを備える前記燃料電池を包囲する燃料電池ハウジングと、
（Ｃ）前記燃料極チャンバ内に存在する液体が前記触媒作用のある膜電解質を横切る以外は前記燃料極チャンバから出られないように液体出口ポートを有していない燃料極チャンバへの直接燃料供給と、
（Ｄ）前記触媒作用のある膜電解質の前記燃料極面に近接して前記燃料極チャンバ内に配置されている少なくとも１つの気体排出物放出ポートと、
（Ｅ）前記燃料電池の発電反応で生じた電子の通路を与える、前記燃料電池に接続された負荷と、
からなる、直接酸化燃料電池。
【請求項２】
前記液体閉空間内への直接燃料供給によって供給された物質が、１００％までの燃料である、請求項１に記載の直接酸化燃料電池。
【請求項３】
前記燃料が、メタノールである、請求項２に記載の直接酸化燃料電池。
【請求項４】
燃料が、燃料極での液体の再循環なしに、前記燃料極チャンバ内への前記直接燃料供給によって供給される、請求項１に記載の直接酸化燃料電池。
【請求項５】
前記空気極で生じた水が、積極的に収集されるか、又はポンプによって前記燃料極チャンバに送られる、請求項１に記載の直接酸化燃料電池。
【請求項６】
前記気体排出物放出ポートを介して前記燃料電池から排出される気体排出物が、少なくとも部分的に二酸化炭素から構成される、請求項１に記載の直接酸化燃料電池。
【請求項７】
前記燃料極チャンバの１つの壁の少なくとも一部が、ガス透過性で且つ液体非透過性である、請求項１に記載の直接酸化燃料電池。
【請求項８】
直接酸化燃料電池であって、
（Ａ）燃料極面及び空気極面を有する、触媒作用のある膜電解質と、
（Ｂ）前記触媒作用のある膜電解質の前記燃料極面と燃料電池ハウジングの外壁部分との間に画定される燃料極チャンバを備え、且つ燃料が前記燃料極チャンバに供給されるが、前記燃料極チャンバから積極的には再循環されない、燃料電池ハウジングと、
（Ｃ）前記触媒作用のある膜電解質と前記ハウジングとの間に配置された燃料極気体生成物除去要素と、
からなる、直接酸化燃料電池。
【請求項９】
（Ａ）直接酸化燃料電池であって、
（i）燃料極面及び空気極面を有する、触媒作用のある膜電解質と、
（ii）前記触媒作用のある膜電解質の前記燃料極面と燃料電池ハウジングの外壁部分との間に画定される燃料極チャンバを備える前記燃料電池を包囲する燃料電池ハウジングと、
（iii）前記燃料極チャンバ内の液体閉空間内への直接燃料供給であって、それによって前記直接燃料供給によって前記チャンバ内へ入る液体燃料が前記触媒作用のある膜電解質を横切る以外は前記チャンバから出ることができない、直接燃料供給と、
（iv）前記触媒作用のある膜電解質の前記燃料極面に近接して前記燃料極チャンバ内に配置されている少なくとも１つの気体排出物放出ポートと、
を有する直接酸化燃料電池と、
（Ｂ）前記燃料極チャンバに接続された燃料源と、
（Ｃ）前記燃料電池から電流を集め負荷に送る手段と、
からなり、それによって空気極で生成した水のポンプによる外部排水や積極的に水を除去する要素を用いることなく、燃料が前記燃料極チャンバに供給されると前記燃料電池によって電気が生成される、直接酸化燃料電池システム。
【請求項１０】
直接酸化燃料電池であって、
（Ａ）燃料極面及び空気極面を有する、触媒作用のある膜電解質アセンブリと、
（Ｂ）前記触媒作用のある膜電解質アセンブリの前記燃料極面に近接して配置されている、前記燃料電池の前記燃料極面から気体を排出する手段と、
からなる、直接酸化燃料電池。
【請求項１１】
燃料極面及び空気極面を有する触媒作用のある膜電解質を有する直接酸化燃料電池において使用するための気体管理要素であって、
気体透過性で、液体非透過性の材料から実質的に構成され、前記触媒作用のある膜電解質アセンブリの前記燃料極面に近接して配置されている要素、
を含んで成る気体管理要素。
【請求項１２】
前記材料が、燃料極排出気体には透過性であるが酸素には実質的にあまり透過性でないような様式で気体選択性である、請求項１１に記載の気体管理要素。
【請求項１３】
前記気体管理要素が、流れ場要素の一部をなし、前記膜電解質の活性領域に燃料を効果的に供給すると共に前記流れ場要素に気体放出機能を与える、請求項１１に記載の気体管理要素。
【請求項１４】
燃料が、結合された燃料極側拡散層を通って前記膜電解質の前記活性領域に供給される、請求項１３に記載の気体管理要素。
【請求項１５】
前記流れ場が、燃料極で生じた気体の除去を促進し、それによって、前記燃料電池の前記燃料極チャンバ内に過剰の燃料極気体生成物が蓄積する前に、それらが前記直接酸化燃料電池から放出される、請求項１３に記載の気体管理要素。
【請求項１６】
燃料極で生じた気体が関連燃料源から前記燃料極チャンバへの燃料の流れに混ざり妨害する前に放出されるような様式で、前記気体管理要素が前記燃料電池内に配置されている、請求項１１に記載の気体管理要素。
【請求項１７】
（Ａ）プロトン伝導性で、電子非伝導性の触媒作用のある膜電解質と、
（Ｂ）前記膜電解質上に配置された触媒と、
（Ｃ）前記膜電解質の燃料極面に隣接して配置されている燃料極拡散層と、
（Ｄ）前記膜電解質の空気極面に隣接して配置されている空気極拡散層と、
（Ｅ）前記燃料極拡散層に結合された、又は近接している、気体透過性で、液体非透過性の層と、
からなる、直接酸化燃料電池の膜電極アセンブリ。
【請求項１８】
前記気体透過性で、液体非透過性の層が、前記燃料極拡散層に機械的に取り付けられているか、又は結合している、請求項１７に記載の膜電極アセンブリ。
【請求項１９】
（Ａ）（i）プロトン伝導性で、非導電性の触媒作用のある膜電解質と、
（ii）前記膜電解質上に配置された触媒と、
（iii）前記膜電解質の燃料極面に隣接して配置された燃料極拡散層と、
（iv）前記膜電解質の空気極面に隣接して配置された空気極拡散層と、
を備える膜電極アセンブリと、
（Ｂ）前記燃料極拡散層に結合された気体透過性で、液体非透過性の層と、
（Ｃ）燃料電池で生成された電気を関連負荷に伝導させるための、前記燃料電池を横切る接続と、
（Ｄ）前記燃料電池を実質的に包囲する燃料電池ハウジングと、
からなる、直接酸化燃料電池。
【請求項２０】
（Ａ）燃料源と、
（Ｂ）（i）プロトン伝導性で、非導電性の触媒作用のある膜電解質と、
（ii）前記膜電解質上に配置された触媒と、
（iii）前記膜電解質の燃料極面に隣接して配置された燃料極拡散層と、
（iv）前記膜電解質の空気極面に隣接して配置された空気極拡散層と、
（v）前記燃料極拡散層に結合されたガス透過性で、液体非透過性の層と、
（vi）燃料電池によって生成された電気を関連負荷に伝導させるための、前記燃料電池を横切る接続と、
を備える直接酸化燃料電池と、
からなる直接酸化燃料電池システム。
【請求項２１】
前記燃料が、１００％までの燃料である、請求項２０に記載の直接酸化燃料電池システム。
【請求項２２】
前記燃料が、メタノールである、請求項２１に記載の直接酸化燃料電池システム。
【請求項２３】
燃料極面及び空気極面を有する触媒作用のある膜電解質を備える直接酸化燃料電池における燃料極排出物を処理する方法であって、
前記直接酸化燃料電池の前記燃料極面に近接して配置された気体透過性で、液体非透過性の層から実質的に構成される気体管理要素を設けることによって燃料極気体排出物を液体から分離するステップを包含する、方法。
【請求項２４】
前記膜電解質アセンブリの前記燃料極面に接触するように前記気体透過性で、液体非透過性の層を設けることを包含する、請求項２３に記載の方法。
【請求項２５】
燃料極面及び空気極面を有する触媒作用のある膜電解質と、前記燃料極面と燃料電池の外壁との間に画定される燃料極チャンバとを備える直接酸化燃料電池において燃料極生成気体を分離する方法であって、
燃料を再循環することなく、前記燃料電池の前記燃料極チャンバ内に収容されている燃料液体から燃料極生成気体を分離するステップを包含する、方法。
【請求項２６】
（Ａ）燃料源と、
（Ｂ）燃料極面及び空気極面を有する触媒作用のある膜電解質を備える直接酸化燃料電池と、
（Ｃ）前記触媒作用のある膜電解質の前記燃料極面と電池ハウジングの外壁部分との間に画定される燃料極チャンバを備える電池ハウジングであって、前記チャンバが液体用の出口ポートを有していない、電池ハウジングと、
（Ｄ）前記直接酸化燃料電池システムへの燃料供給を制御するための、前記燃料源と前記直接酸化燃料電池の前記燃料極面との間に配置された要素と、
からなる、直接酸化燃料電池システム。
【請求項２７】
前記要素が、ポンプや積極的な再循環機構を用いることなく、前記燃料供給を制御する、請求項２６に記載の直接酸化燃料電池システム。
【請求項２８】
前記燃料源の実質的に全体が、前記燃料電池内部に配置されている、請求項２６に記載の直接酸化燃料電池システム。
【請求項２９】
前記燃料源が、前記燃料電池外部に配置されている、請求項２６に記載の直接酸化燃料電池システム。
【請求項３０】
前記燃料源の前記燃料と前記燃料電池の前記燃料極チャンバとの間に差圧が存在する、請求項２６に記載の直接酸化燃料電池システム。
【請求項３１】
燃料供給を制御するための前記要素が、ポンプを備える、請求項２６に記載の直接酸化燃料電池システム。
【請求項３２】
前記燃料源が、前記燃料源と前記燃料電池の前記燃料極との間で混合され得る２つ以上の液体を含有する、請求項２６に記載の直接酸化燃料電池システム。
【請求項３３】
前記燃料源が、メタノールと水を含有する、請求項３２に記載の直接酸化燃料電池システム。
【請求項３４】
前記燃料源が、１００％までの燃料を前記燃料電池に供給し得る、請求項２６に記載の直接酸化燃料電池システム。
【請求項３５】
前記燃料が、メタノールである、請求項３４に記載の直接酸化燃料電池システム。
【請求項３６】
前記燃料の供給が、吸引によって実施される、請求項２６に記載の直接酸化燃料電池システム。
【請求項３７】
前記吸引による供給が、前記燃料源と前記直接酸化燃料電池の前記燃料極との間に配置された多孔性要素内の毛管ネットワークの作用によって実施される、請求項２６に記載の直接酸化燃料電池システム。
【請求項３８】
直接酸化燃料電池に燃料を供給する方法であって、前記燃料電池の燃料極で消費された燃料を燃料源から供給される同容積の新しい燃料あるいは燃料と水との混合物で置換するような様式で、前記燃料電池の前記燃料極に燃料を供給するステップを包含する、方法。
【請求項３９】
燃料源と、燃料極面及び空気極面を有する触媒作用のある膜電解質を備える直接酸化燃料電池と、前記燃料極面と前記直接酸化燃料電池の外壁部分との間に画定され且つ燃料が出ることのできるポートを有していない燃料極チャンバと、を備える直接酸化燃料電池システムへの燃料供給を制御する方法であって、
前記触媒作用のある膜電解質の前記燃料極面と前記燃料源との間に配置される物質輸送制御要素を設け、それによって前記燃料電池への燃料供給がポンプや再循環要素を用いることなく制御される、方法。
【請求項４０】
前記燃料電池内部に前記燃料源の全体を配置するステップをさらに包含する、請求項３９に記載の方法。
【請求項４１】
前記燃料電池外部に前記燃料源を配置するステップをさらに包含する、請求項３９に記載の方法。
【請求項４２】
前記燃料源内の燃料に微圧をかけて前記燃料源内の燃料と前記燃料電池の前記燃料極チャンバ内の燃料との間に差圧を発生させるステップをさらに包含する、請求項３９に記載の方法。
【請求項４３】
前記燃料源内に２つ以上の液体を供給するステップと、
前記燃料源と前記燃料電池の前記燃料極チャンバとの間で前記液体を混合するステップと、
を包含する請求項３９に記載の方法。
【請求項４４】
前記燃料源に供給される前記液体が、メタノールと水を含む、請求項４３に記載の方法。
【請求項４５】
前記燃料として１００％までのメタノールからなる物質を供給することを包含する、請求項３９に記載の方法。
【請求項４６】
前記燃料物質が、メタノールである、請求項４５に記載の方法。
【請求項４７】
前記燃料を吸引によって前記燃料極チャンバに供給するステップをさらに包含する、請求項３９に記載の方法。
【請求項４８】
前記燃料源と前記直接酸化燃料電池の前記燃料極チャンバとの間に配置されている多孔性要素内の毛管ネットワークの吸引作用によって、前記燃料源からの燃料を前記燃料極に供給するステップをさらに包含する、請求項３９に記載の方法。